(57)【要約】  【目的】  熱伝導部や放熱部などの部品の筐体に対する取り付け位置の変更や交換を容易に行うことが可能な映像表示装置を提供することを目的とする。  【構成】    本発明の映像表示装置１０は、筐体１０内に、赤色ＬＥＤ１１Ｒ、緑色ＬＥＤ１１Ｇ、および青色ＬＥＤ１１Ｂにそれぞれ結合した熱伝導部１７Ｒ、１７Ｇ、１７Ｂと、ラジエータ１８と、ポンプ１９と、送風ファン２０とが移動可能に取り付けられており、これら部品を連結する配管３１〜３５の内、対向配置された部品間を連結する配管として、可撓性材料からなる環状配管３１、３５を用いる。  【選択図】  図１
2008089917.tif 000002
【特許請求の範囲】
【請求項１】
光源と、該固体光源から出射される光を映像信号に基づいて変調する変調手段と前記光源を冷却するための冷却手段とを筐体内に備えた映像表示装置において、
前記冷却手段は、前記光源に結合した状態で前記筐体に取り付けられた熱伝導部と、前記筐体に取り付けられた放熱部と、前記熱伝導部と前記放熱部とに冷媒を循環ささせるために前記熱伝導部と前記放熱部との間を連結する配管を有し、
前記熱伝導部と前記放熱部とが対向して配置される場合に、これらを連結する配管として、一部を環状に巻いた形状の可撓性材料からなる環状配管を用いたことを特徴とする映像表示装置。
【請求項２】
光源と、該光源から出射される光を映像信号に基づいて変調する変調手段と前記光源を冷却するための冷却手段とを筐体内に備えた映像表示装置において、
前記冷却手段は、前記光源に結合した状態で前記筐体に取り付けられた熱伝導部と、前記筐体に取り付けられた放熱部と、前記熱伝導部と前記放熱部とに冷媒を循環させるために前記筐体に取り付けられたポンプと、前記熱伝導部と前記放熱部と前記ポンプとの三者を環状に繋いで前記冷媒の循環を導く配管とを有しており、
前記熱伝導部と前記放熱部と前記ポンプとの三者の内の二者が対向して配置される場合に、これら対向する二者を連結する配管として、一部を環状に巻いた形状の可撓性材料からなる環状配管を用いたことを特徴とする映像表示装置。
【請求項３】
前記光源が連結された前記熱伝導部と前記放熱部と前記ポンプとの三者の内、前記環状配管に連結された前記熱伝導部、前記放熱部、または前記ポンプの固定位置を変更可能としたことを特徴とする請求項２の映像表示装置。
【請求項４】
光源と、該固体光源から出射される光を映像信号に基づいて変調する変調手段と前記光源を冷却するための冷却手段とを筐体内に備えた映像表示装置において、
前記冷却手段は、前記光源に結合した状態で前記筐体に取り付けられた熱伝導部と、前記筐体に取り付けられた放熱部と、前記熱伝導部と前記放熱部とに冷媒を循環させるために前記筐体に取り付けられたポンプと、前記熱伝導部と前記放熱部と前記ポンプとの三者を環状に連結して前記冷媒の循環を導く配管とを有しており、
前記熱伝導部と前記放熱部と前記ポンプとの三者の内の二者が対向して配置される場合に、これら対向する二者を連結する配管として、一部を環状に巻いた形状の可撓性材料からなる環状配管を用い、該環状配管によって得られる遊びの範囲内で、前記筐体内における前記固体光源の位置決め及び固定を可能とした固定手段を設けたことを特徴とする映像表示装置。
【請求項５】
固体光源と、該固体光源から出射される光を映像信号に基づいて変調する変調手段と、該変調手段から得られる変調された光を投射するための光学手段と、前記固体光源を冷却するための冷却手段とを筐体内に備え、前記記冷却手段が前記固体光源に結合した状態で前記筐体に取り付けられた熱伝導部と、前記筐体に取り付けられた放熱部と、前記熱伝導部と前記放熱部とに冷媒を循環させるために前記筐体に取り付けられたポンプと、少なくとも前記熱伝導部と前記放熱部と前記ポンプとの三者を環状に繋いで前記冷媒の循環を導く配管とを有する映像表示装置であって、
さらに、前記固体光源が結合した前記熱伝導部を筐体内で移動させることを可能とした移動手段、及び該移動手段によって移動した筐体内の位置に前記固体光源が結合した前記熱伝導部を固定する固定手段を有してなり、
前記熱伝導部に対して前記放熱部又は前記ポンプの少なくとも一方が対向して配置される場合に、対向する前記熱伝導部と前記放熱部又は前記ポンプとの間を連結する配管として、一部を環状に巻いた形状の可撓性材料からなる環状配管を用い、該環状配管によって前記熱伝導部と前記放熱部又は前記ポンプとを連結した状態で、前記移動手段によって、前記固体光源が結合した前記熱伝導部を移動させ、前記固定手段により前記固体光源が結合した前記熱伝導部を固定することを特徴とした映像表示装置。
【請求項６】
固体光源と、該固体光源から出射される光を映像信号に基づいて変調する変調手段と、該変調手段から得られる変調された光を投射するための光学手段と、前記固体光源を冷却するための冷却手段とを筐体内に備え、前記記冷却手段は、前記光源に結合した状態で前記筐体に取り付けられた熱伝導部と、前記筐体に取り付けられた放熱部と、前記熱伝導部と前記放熱部とに冷媒を循環させるために前記筐体に取り付けられたポンプと、少なくとも前記熱伝導部と前記放熱部と前記ポンプとの三者を環状に繋いで前記冷媒の循環を導く配管とを有してなる映像表示装置であって、
前記固体光源が結合した前記熱伝導部を筐体内に固定する固定手段を有してなり、前記熱伝導部に対して前記放熱部又は前記ポンプの少なくとも一方が対向して配置される場合に、対向する前記熱伝導部と前記放熱部又は前記ポンプとの間を連結する配管として、一部を環状に巻いた形状の可撓性材料からなる環状配管を用い、該前記環状配管を取り替えることなく、前記固定手段によって、前記固体光源の固定位置を変更可能としたことを特徴とする映像表示装置。
【発明の詳細な説明】
【技術分野】
【０００１】
この発明は、固体光源を用いた映像表示装置に関し、特に発光時に発熱する光源を液体などの冷媒を用いて冷却する機能をする映像表示装置に関する。
【背景技術】
【０００２】
一般的に、映像表示装置としては、表示素子としての液晶パネルを直接目視する直視型の映像表示装置と、光源から出射された光を光変調手段としての液晶パネルなどのライトバルブにより変調して投写する投写型の表示装置、所謂プロジェクタが存在する。
【０００３】
これらの映像表示装置、特に、プロジェクタにおいては、高輝度の光源を備える必要があるため、この高輝度の光源から発生する熱の対策が必要となる。
【０００４】
この種の従来の映像表示装置では、冷却ファンを筐体内に設け、この冷却ファンにて光源を空冷していたが、筐体外から導入された空気が筐体内での光学部品などの多くの部品の間を通って筐体外に排気されるため、筐体内での空気の流れ方次第では、光源等を十分に冷却できない場合があった。
【０００５】
特に、近年、筐体の小型化の市場の要求に答えるため、光源としてＬＥＤなどの固体光源を用いて、部品を小型化する一方、筐体内の空間をさらに節約して筐体の小型化を図ったプロジェクタが開発されつつあり、このような小型による筐体内の冷却能力を確保するため、この光源を液体によって冷却する液冷方式の冷却手段を用いた映像表示装置が開発されている。
【特許文献１】特開２００５−３００６６３号公報。
【発明の開示】
【発明が解決しようとする課題】
【０００６】
しかしながら、上述の如き従来の冷却手段を用いた映像表示装置においては、光源に対して一体的に取り付けられた熱伝導部とこの熱伝導部から離れた位置に備えられた放熱フィンなどの放熱部との間に液体を循環させるための配管が固定されることになるので、これら部品を筐体内に取り付けて固定した後には、各部品の取り換えや、取り付け位置の変更や調整が困難な場合があった。
【０００７】
特に、光学系の部品である光源については、液晶パネルとの光学的な位置関係の調整、例えば、製品の完成後においても、光軸の調整のために、この光源を筐体に対する取り付け位置を調整することが必要となる場合がある。
【０００８】
しかしながら、光源の筐体に対する取り付け位置を変更したり調整する場合には、光源に結合した熱伝導部のみならず、この熱伝導部と共に配管にて連結された放熱部まで筐体から外して取り付け直す必要があった。特に、熱伝導部と放熱部とが対向配置され、この間を直線的に配管が連結しているような場合には、この直線方向には、配管の長さに束縛され、熱伝導部と一体的に結合した光源を移動させることは出来なかった。また、たとえ、配管の直線方向以外の方向への移動であっても、配管の硬さなどの影響によって、その移動により、配管に不要な張力や弾力が掛かり、熱伝導部や放熱部などの部品との配管の結合状態を劣化させる不都合、例えば、配管の割れや連結はずれなどの事故を招く危惧があった。
【０００９】
そこで、本願発明は上記の事情に鑑み、光源を冷却するための冷媒循環方式の冷却手段を用いていながらも、筐体に対する部品の取り換えや取り付け位置の変更が可能な映像表示装置を実現するものである。
【課題を解決するための手段】
【００１０】
第１の本発明の映像表示装置は、光源と、該固体光源から出射される光を映像信号に基づいて変調する変調手段と前記光源を冷却するための冷却手段とを筐体内に備えた映像表示装置において、前記冷却手段は、前記光源に結合した状態で前記筐体に取り付けられた熱伝導部と、前記筐体に取り付けられた放熱部と、前記熱伝導部と前記放熱部とに冷媒を循環させるために前記熱伝導部と前記放熱部との間を連結する配管を有し、前記熱伝導部と前記放熱部とが対向して配置される場合に、これらを連結する配管として、一部を環状に巻いた形状の可撓性材料からなる環状配管を用いたことを特徴とするものである。
【００１１】
第２の本発明の映像表示装置は、光源と、該固体光源から出射される光を映像信号に基づいて変調する変調手段と前記光源を冷却するための冷却手段とを筐体内に備えた映像表示装置において、前記冷却手段は、前記光源に結合した状態で前記筐体に取り付けられた熱伝導部と、前記筐体に取り付けられた放熱部と、前記熱伝導部と前記放熱部とに冷媒を循環させるために前記筐体に取り付けられたポンプと、前記熱伝導部と前記放熱部と前記ポンプとの三者を環状に繋いで前記冷媒の循環を導く配管とを有しており、前記熱伝導部と前記放熱部と前記ポンプとの三者の内の二者が対向して配置される場合に、これら対向する二者を連結する配管として、一部を環状に巻いた形状の可撓性材料からなる環状配管を用いたことを特徴とするものである。
【００１２】
第３の本発明の映像表示装置は、前記の第２の本発明の請求項２の映像表示装置において、前記固体光源が連結された前記熱伝導部と前記放熱部と前記ポンプとの三者の内、前記環状配管に繋がった前記熱伝導部、前記放熱部、または前記ポンプの固定位置を変更可能としたものである。
【００１３】
第４の本発明の映像表示装置は、光源と、該固体光源から出射される光を映像信号に基づいて変調する変調手段と前記光源を冷却するための冷却手段とを筐体内に備えた映像表示装置において、前記冷却手段は、前記光源に結合した状態で前記筐体に取り付けられた熱伝導部と、前記筐体に取り付けられた放熱部と、前記熱伝導部と前記放熱部とに冷媒を循環させるために前記筐体に取り付けられたポンプと、前記熱伝導部と前記放熱部と前記ポンプとの三者を環状に繋いで前記冷媒の循環を導く配管とを有しており、前記熱伝導部と前記放熱部と前記ポンプとの三者の内の二者が対向して配置される場合に、これら対向する二者を連結する配管として、一部を環状に巻いた形状の可撓性材料からなる環状配管を用い、該環状配管によって得られる遊びの範囲内で、前記筐体内における前記固体光源の位置決め及び固定を可能とした固定手段を設けたことを特徴とするものである。
【００１４】
第５の本発明の映像表示装置は、固体光源と、該固体光源から出射される光を映像信号に基づいて変調する変調手段と、該変調手段から得られる変調された光を投射するための光学手段と、前記固体光源を冷却するための冷却手段とを筐体内に備え、前記記冷却手段が前記固体光源に結合した状態で前記筐体に取り付けられた熱伝導部と、前記筐体に取り付けられた放熱部と、前記熱伝導部と前記放熱部とに冷媒を循環させるために前記筐体に取り付けられたポンプと、少なくとも前記熱伝導部と前記放熱部と前記ポンプとの三者を環状に繋いで前記冷媒の循環を導く配管とを有する映像表示装置であって、さらに、前記固体光源が結合した前記熱伝導部を筐体内で移動させることを可能とした移動手段、及び該移動手段によって移動した筐体内の位置に前記固体光源が結合した前記熱伝導部を固定する固定手段を有してなり、前記熱伝導部に対して前記放熱部又は前記ポンプの少なくとも一方が対向して配置される場合に、対向する前記熱伝導部と前記放熱部又は前記ポンプとの間を連結する配管として、一部を環状に巻いた形状の可撓性材料からなる環状配管を用い、該環状配管によって前記熱伝導部と前記放熱部又は前記ポンプとを連結した状態で、前記移動手段によって、前記固体光源が結合した前記熱伝導部を移動させ、前記固定手段により前記固体光源が結合した前記熱伝導部を固定することを特徴としたものである。
【００１５】
第６の本発明の映像表示装置は、固体光源と、該固体光源から出射される光を映像信号に基づいて変調する変調手段と、該変調手段から得られる変調された光を投射するための光学手段と、前記固体光源を冷却するための冷却手段とを筐体内に備え、前記記冷却手段は、前記光源に結合した状態で前記筐体に取り付けられた熱伝導部と、前記筐体に取り付けられた放熱部と、前記熱伝導部と前記放熱部とに冷媒を循環させるために前記筐体に取り付けられたポンプと、少なくとも前記熱伝導部と前記放熱部と前記ポンプとの三者を環状に繋いで前記冷媒の循環を導く配管とを有してなる映像表示装置であって、前記固体光源が結合した前記熱伝導部を筐体内に固定する固定手段を有してなり、前記熱伝導部に対して前記放熱部又は前記ポンプの少なくとも一方が対向して配置される場合に、対向する前記熱伝導部と前記放熱部又は前記ポンプとの間を連結する配管として、一部を環状に巻いた形状の可撓性材料からなる環状配管を用い、前記固定手段によって、前記環状配管を取り替えることなく前記固体光源の固定位置を変更可能としたことを特徴とするものである。
【００１６】
なお、以上の本発明の映像表示装置においては、上記光源として、複数の光源、例えば、赤色、緑色、青色の３種類の光源を用いる場合には、これらの各光源に対して、上記冷媒を循環させる冷却手段を個別に設けるものに限らず、上記光源としてこれらの光源を連接して用い、一つの冷媒循環系にて冷却するものにおいても本発明の権利範囲に含まれるものである。たとえば、赤色光源に結合した第１の熱伝導部と緑色光源に結合した第２の熱伝導部と青色光源に結合した第３の熱伝導部とポンプと上記放熱部と上記ポンプとの順に冷媒が循環するようにしたものも本発明の権利範囲に含まれる。
【００１７】
また、以上の本発明の映像表示装置においては、上記ポンプと上記放熱部とを兼用するポンプ機能付き放熱部を用いる場合にも適用可能であり、権利範囲に含まれるものである。
【発明の効果】
【００１８】
本願発明によれば、光源に取り付けらた熱伝導部や放熱部などを連結する配管として、一部を環状に巻いた形状の可撓性材料からなる環状配管を用いているので、熱伝導部や放熱部などの部品の筐体に対する取り付け位置の変更や交換を容易に行うことが可能な映像表示装置を提供することができる。
【発明を実施するための最良の形態】
【００１９】
（第１の実施形態）
以下、本願発明の投写型映像表示装置の実施形態を説明する。
【００２０】
図１は、投写型映像表示装置１００の構成を示した平面図である。
【００２１】
同図において、投写型映像表示装置１００は、光源としての赤色ＬＥＤ１１Ｒ、緑色ＬＥＤ１１Ｇ、および青色ＬＥＤ１１Ｂと、導光部としての赤色用ロッドインテグレータ１２Ｒ、緑色用ロッドインテグレータ１２Ｇ、青色用ロッドインテグレータ１２Ｂと、反射部としての赤色用三角プリズム１３Ｒおよび青色用三角プリズム１３Ｒと、光変調部としての赤色用液晶パネル１４Ｒ、緑色用液晶パネル１４Ｇ、および青色用液晶パネル１４Ｂと、色合成部としてのダイクロイックプリズム１５と、光投写部としての投写レンズ１６とを基本的に備え、これらの光学部品が筐体１０内に収納されている。これらの光学的な機能を果たす部品の構成や機能、あるいはその配置については、一般的のものであるので、説明を省略する。
【００２２】
そしてさらに、前記の筐体１０内には、３つの光源を冷却するための冷却手段として、赤色ＬＥＤ１１Ｒ、緑色ＬＥＤ１１Ｇ、および青色ＬＥＤ１１Ｂにそれぞれ結合した熱伝導部１７Ｒ、１７Ｇ、１７Ｂと、ラジエータ１８と、ポンプ１９と、前記ラジエータ１８に対して、筐体１０からの排気風をあてるための送風ファン２０が設けられている。そして、これらの５個の部品１７Ｒ、１７Ｇ、１７Ｂ、１８、１９の内部や一部に形成された金属配管内に水や防腐剤を混入した液体を冷媒として順次循環させるために、こらら部品１７Ｒ、１７Ｇ、１７Ｂ、１８、１９の配管口を循環的に連結する５本の可撓性材料であるゴムや樹脂からなる第１の配管３１、第２の配管３２、第３の配管３３、第４の配管３４、第５の配管３５が用いられている。
【００２３】
これらの配管３１〜３５の内、対向して配置されている熱伝導部１７Ｒの配管口とラジエータ１８の配管口との間を連結する第１の配管３１は、これらを直線的に連結するような直線的な配管を用いるのではなく、配管３１の一部を環状に巻いた形状の環状配管を用いてなり、熱伝導部１７Ｂとラジエータ１８との間の配置距離に通称遊び（自由度と云う場合もある）を持たせている。この遊びの程度は、環状配管の環状部分の直径によって適宜設定できる。
【００２４】
またさらに、対向して配置される青色ＬＥＤ１１Ｂに結合した熱伝導部１７Ｂとポンプ１９との間を連結する第４の配管３４としても同様の環状配管を用いている。
【００２５】
これらの冷却手段を構成する部品１７Ｒ、１７Ｇ、１７Ｂ、１８、１９には、夫々、筐体１０に対して、取り付け位置の変更や調整が可能な取り付け手段４０Ｒ、４１Ｒ、４１Ｒ、４０Ｇ、４１Ｇ、４１Ｇ、４０Ｂ、４１Ｂ、４１Ｂ、４２〜４７によって、取り付けられており、これらの取り付け手段の構成について、以下に詳述する。
【００２６】
図２に、熱伝導部１７Ｒの取り付け手段の一例を示す。
【００２７】
同図のにおいて４０Ｒと４１Ｒは、熱伝導部１７Ｒの左右両端にそれぞれ一体形成された固定手段であり、固定片４０１Ｒ、４１１Ｒに設けられた水平方向の長い穴に対して、螺子４０２Ｒ、４１２Ｒをはめ込んで、筐体１０に螺子止めできる構成となっている。さらに、同図の４２Ｒは、熱伝導部１７Ｒの下端に形成された位置決め手段であり、.固定片４２１Ｒに設けられた長い穴の中に、円形の偏心カム部材４２２Ｒがはめ込まれてあり、この偏心カム部材４２２Ｒには、偏心カム部材４２２Ｒの中心と距離Ｌだけ離れた点に回転中心が設定されており、この偏心カム部材４２２Ｒを回転させることによって、熱伝導部１７Ｒの左右水平方向の位置決めができる。なお、この回転中心４２３Ｒは、回転自在に筐体１０の特定位置に対して螺子止めなどの方法で固定されるようにすることもできる。
【００２８】
従って、斯かる赤色ＬＥＤ１１Ｒと結合した熱伝導部１７Ｒの位置決めを行う前には、固定手段４０Ｒの螺子４０２Ｒと固定手段４１Ｒの螺子４１２Ｒとを緩めておく必要があり、この位置決めが終了した後、これらの螺子４０２Ｒ、４１２Ｒを締めることによって、赤色ＬＥＤ１１Ｒと結合した熱伝導部１７Ｒの位置決めと固定が完了する。
【００２９】
図２（ａ）の場合、赤色ＬＥＤ１１Ｒは、水平方向における標準の位置決め位置より、最も左に距離Ｌだけ移動した位置に固定されており、同図（ｂ）の場合は、赤色ＬＥＤ１１Ｒは、最も右に距離Ｌだけ移動した位置に固定されている。このように、偏心カム部材４２２Ｒを回転させることにより、偏心カム部材４２２Ｒは、赤色ＬＥＤ１１Ｒを水平方向に距離２Ｌの範囲内でその位置を調整することが可能となる。
【００３０】
なお、本実施例の場合、位置決め手段４２Ｒを固定手段４０Ｒ、４１Ｒとは別途設けたが、斯かる位置決め手段４２Ｒを省略してもよい。この場合には、固定手段４０Ｒ、４１Ｒの固定片４０１Ｒ、４１１Ｒに設けられた水平方向の長い穴を利用して、水平方向の長い穴の許容範囲内において、手作業にて、熱伝導部１７Ｒを水平方向に移動させた状態で螺子４０２Ｒ、４１２Ｒにて螺子止めして固定することもできるが、位置決め作業やその精度を確保するためには、上述のような位置決め手段４２Ｒを固定手段とは別途に設ける効果は大きい。
【００３１】
図３は、上述の図２（ａ）の場合に対応した映像表示装置１００の構成を示した平面図であり、図１に示した赤色ＬＥＤ１１Ｒの位置を図２（ａ）の如く、位置決め手段４２Ｒと固定手段４０Ｒ、４１Ｒを用いて、位置決めをして固定したものである。従って、環状配管からなる第１の配管３１を熱伝導部１７Ｒに連結させたままの状態で、その可撓性を利用して、その遊びの範囲内で、その配管の形状維持に大きな負担を掛けることなく赤色ＬＥＤ１１Ｒを水平方向に距離Ｌだけ移動させて固定している。
【００３２】
従って、赤色ＬＥＤ１１Ｒの配管口と緑色ＬＥＤ１１Ｇの配管口との位置が対向する位置関係であることから、従来のごとく、これらを直線的な配管によって連結している場合には、たとえゴムなどの可撓性材料の配管を用いたとしても、この配管を連結した状態では、この配管の張力や押圧力により、赤色ＬＥＤ１１Ｒを移動させることが困難となることに比べると、環状配管を用いることによって、配管の張力の影響を抑制できる本実施例の効果は大きい。即ち、映像表示装置の組み立てた後に、赤色ＬＥＤ１１Ｒの光軸を調整してようとした場合には、赤色ＬＥＤ１１Ｒに結合した熱伝導部１７Ｒから配管を取り外すというような従来の不都合を被ることなく、第１の配管を連結したまま、この環状配管の環状部分を撓ませるだけで、その張力や押圧力を実質的に緩和することができる。従って、赤色ＬＥＤ１１Ｒに結合した熱伝導部１７Ｒを容易に移動させることができるので、この熱伝導部１７Ｒの取替えや取り付け位置の微調整が容易に行える。
【００３３】
なお、同図の映像表示装置１００の場合、第２の配管３２は環状配管ではないが、赤色ＬＥＤ１１Ｒの配管口と緑色ＬＥＤ１１Ｇの配管口との位置が対向する位置関係でなく並列の位置関係になっているため、第２の配管は必然的にＵの字状に湾曲されている。従って、配管３２のＵの字状の部分によって生じる遊びの範囲内で、その配管の形状維持に大きな負担を掛けることなく赤色ＬＥＤ１１Ｒの位置の移動に追従できるものであり、斯かる本発明の実施例の効果を阻害しない。
【００３４】
以上の説明では、環状配管３１、３４を夫々他の部品と連結した状態で、熱伝導部や放熱部やポンプを移動させ、位置決めをして固定しなおすことができることについて説明したが、これらの部品について配管を外してから移動させ、位置決めをして固定し直した後に、配管を連結しなす場合であっても、斯かる部品の移動距離に対応して長さの異なる配管に取り替える必要がなく、同じ環状配管を再度用いることができる。
【００３５】
また、以上に説明した本発明の実施例においては、環状配管によって熱伝導部と放熱部とを連結した状態で、熱伝導部に結合した光源を移動させ、前記固定手段により固定したが、逆に、放熱部でるラジエータ１８を取り付ける手段４３、４４、４５を用いて、このラジエータ１８を固定位置を修正して固定しなおしてもよい。この場合、取り付け手段４３、４４、４５は上述のような固定手段４０Ｒ、４１Ｒ及び４２Ｒと同様の構成でもよい。また、同様に、ポンプ１９についても、上述のような固定手段４０Ｒ、４１Ｒ及び４２Ｒと同様の取り付ける手段４６、４７、４８を用いれば、環状配管からなる第３の配管３４の効果によって、この配管３４を外すことなく、その固定位置を修正して固定しなおすことができる。
【００３６】
また、従来のように各部品の配管口間を配管により直線的に、即ち最短距離で接続した場合、プロジェクタなどの映像表示装置の使用環境による温度変化により、配管に応力が発生し、歪みが生じると云う不都合があったとしても、本実施例のように環状配管を用いることによって、このような不都合も回避できる。
【００３７】
さらに、以上に説明した本発明の実施例においては、仮に配管に熱膨張や熱収縮が生じたとしても、環状に巻いた部分が熱膨張や熱収縮に応じて変化することができるので、即ち、熱変形の影響を環状配管の環状部分で緩和することができるので、配管に熱変形の可能性がある場合であっても、その変形でもって電子回路の大きさや配置に関する設計の自由度を阻害する不都合を抑制できる。
【００３８】
（第２の実施形態）
図４に、本発明の映像表示装置の第２の実施例を示す。
【００３９】
同図のプロジェクタの場合、ラジエータ１８とポンプ１９が対向して配置されており、これらを繋ぐ第５の配管として、環状配管を用いたものである。なお、これらのラジエータ１８とポンプ１９についても、図示は省略しているが、第１図と同様に取り付け手段を備え、その位置決め機能、及び固定機能を備えている。
【００４０】
斯かる実施例においては、ラジエータ１８、あるいは１９を取替えたり、その位置を変更する場合には、第５の配管３５である環状配管の遊びの範囲内で、これらの位置を変更して固定しなおすことができる。
【００４１】
（第３の実施形態）
図５に、本発明の投写型映像表示装置の第３の実施例を示す。
【００４２】
同図の場合、光源として面発光となるように、複数のＬＥＤを備えた赤色ＬＥＤ１１Ｒ、緑色ＬＥＤ１１Ｇ、および青色ＬＥＤ１１Ｂを用いており、そのため、図１の装置と比べて、ロッドインテグレータ１２や三角プリズム１３が省略されて、光学部品の占めるスペースが全体として小さくなっている。また、この実施例の場合、ポンプ付きのラジエータ５０、即ち、図１および図３のポンプ１９とラジエータ１８とをユニット化したもの用いているので、さらに省スペース化が図れるように設計されている。
【００４３】
したがって、同図の場合、図１の装置に比べて、多数のＬＥＤを発光させるために、ＬＥＤの数が増加すると共に、さらに駆動回路Ｃの回路構成も複雑になり、さらに筐体１０がコンパクトになるので、筐体１０内の温度上昇が大きくなるので、冷媒を用いた冷却方式の効果は大きい。
【００４４】
斯かる実施例の場合、赤色ＬＥＤ１１Ｒと結合した熱伝導部１１Ｒの配管口とポンプ付きのラジエータ５０の配管口とが対向して配置されており、これらを連結する第１の配管３１として、環状配管を用いたものである。そして、これらの部品の夫々についても、図示は省略しているが、第１図と同様に取り付け手段を有しており、各取り付け手段には、その位置決め機能、及び固定機能が備えられている。従って、ポンプ付きのラジエータ５０を取替えたり、その位置を変更する場合には、第１の配管３１である環状配管の遊びの範囲内で、これらの位置を変更して固定しなおすことができる。
【００４５】
以上の各実施例においては、各部品の取り付け手段として、図２（ａ）（ｂ）に示すような構成を例示したが、本発明はこれに限ることなく、移動手段として、直交する２軸、あるいは直交する３軸に沿って、２次元的、さらには３次元的に移動できる構成を利用することができる。
【００４６】
なお、以上の実施例においては、プロジェクタを例示したが、これに限ることなく、光源と光変調手段と光源を冷却する手段を備えた影像表示装置であれば、本発明を実施することができる。さらに、斯かる光変調手段としては、上述の液晶パネルに限ることなく、画素毎に反射素子を備えた半導体装置、所謂ＤＭＤを用いることもできる。
【図面の簡単な説明】
【００４７】
【図１】本発明の映像表示装置の一実施例を示す平面図である。
【図２】本発明の映像表示装置に用いる取り付け手段を示す平面図である。
【図３】本発明の映像表示装置の一実施例における部品取り付け状態を示す平面図である。
【図４】本発明の型映像表示装置の他の実施例を示す平面図である。
【図５】本発明の型映像表示装置のさらに他の実施例を示す平面図である
【符号の説明】
【００４８】
１０  筐体
１１Ｒ、１１Ｇ、１１Ｂ  赤色ＬＥＤ
１７Ｒ、１７Ｇ、１７Ｂ  熱伝導部
１８  ラジエータ
１９  ポンプ
２０  送風ファン
３１〜３５  配管
４２Ｒ  位置決め手段
４０Ｒ、４１Ｒ  固定手段
Ｃ  駆動回路
【図１】
2008089917.tif 000003
【図２】
2008089917.tif 000004
【図３】
2008089917.tif 000005
【図４】
2008089917.tif 000006
【図５】
2008089917.tif 000007